(57)【要約】      （修正有）【課題】重量による振り子作用でパッティングラインに沿って真っ直ぐに動かすことができ、しかも適当な飛び出し速度で打ち出すことができるパターゴルフクラブを提供する。【解決手段】シャフト２と、このシャフト２の先端に連繋したパターヘッド３と、パターヘッド３に近接したシャフト２の下部位置に重り部材５とを備えて成る。重り部材５は、シャフト２の外周に配したり、シャフト２の内部に配したり、中実、密な棒状材として形成したりして構成する。【効果】重り部材５の重量による振り子作用でパッティングラインに沿って真っ直ぐにパターゴルフクラブ１自体を動かすことができ、しかもパッティング時では適当な飛び出し速度でゴルフボールＢを打球でき、スムーズな転がりを与える。【選択図】図１
0003202474.tif 000002
【実用新案登録請求の範囲】
【請求項１】
シャフトと、このシャフトの先端に連繋されたパターヘッドと、パターヘッドに近接したシャフトの下部位置に配された重り部材とを備えて成ることを特徴とするパターゴルフクラブ。
【請求項２】
前記重り部材は、シャフトの外周に配して成る請求項１に記載のパターゴルフクラブ。
【請求項３】
前記重り部材は、シャフトの内部に配して成る請求項１に記載のパターゴルフクラブ。
【請求項４】
前記重り部材は、中実、密な棒状材として成る請求項１に記載のパターゴルフクラブ。
【考案の詳細な説明】
【技術分野】
【０００１】
この考案は、パター打球時にパターゴルフクラブ自体を直線状に振りきれるようにして、的確な方向性の維持と適宜な打球時の飛び出し速度とを簡単に実現できるようにしたパターゴルフクラブに関する。
【背景技術】
【０００２】
従来からゴルフゲーム・競技において、パッティングは非常に重要な要素とされており、グリーン上で単に転がせば済むものではなく、カップインさせるためにはパッティング位置からの方向性の選定、距離に合わせた打球速度の設定その他を微妙に調整する必要がある。ところで、パッティングは、パターヘッドを打球方向に沿って真っ直ぐにティークバックし、そのまま真っ直ぐ、直線状に打ち出すことが要点とされている。ただ、図５（Ｂ）に示すように、パッティングラインＰに沿って直線状にパターヘッド１３を移動させることは実際上はなかなか困難であり、打球時のパターヘッド１３は少なからず蛇行していることが多い。特に、従来のパターゴルフクラブ１においては、パターヘッド１３が比較的に軽量に形成されている場合には、グリーン上での緊張感もあってヘッドがぶれやすく、ゴルフボールＢに対してパターヘッド１３が真っ直ぐに当たらなくなってしまう。
【０００３】
こうした点から従来では、例えば特許文献１示されるゴルフクラブのヘッドおよびゴルフクラブ、特許文献２に示されるパタークラブ、特許文献３に示されるゴルフクラブ、特許文献４に示されるパターゴルフクラブ等が提案されている。特許文献１ではパターヘッドの背面端部それぞれに重りを調整して着脱自在に取り付けて成る。特許文献２では打球時のクラブにおけるシャフトの回転中心をグリップの位置に配置して成る。特許文献３ではヘッドのトウ側部、ヒール側部に重り部材を固定することでスイートポットエリアを拡大して成る。特許文献４ではフェース高重心、ソウル後部のウエイト調整後のヘッドに先重心を調整して成る。
【先行技術文献】
【特許文献】
【０００４】
【特許文献１】特開平１０−１３７３７４号公報
【特許文献２】特開平１１−１９２５６号公報
【特許文献３】特開２００１−６２０１３号公報
【特許文献４】特開２００３−２７５３５４号公報
【考案の概要】
【考案が解決しようとする課題】
【０００５】
ところが、特許文献１のヘッド・クラブ、特許文献３のクラブ、特許文献４のクラブはいずれも、パターゴルフクラブのパターヘッドにおける重量を調整するとするも、特にパターヘッドの重量を僅かにでも増大させることは、パッティング時にゴルフボールの飛び出し速度を強くしてしまう結果となる。また特許文献２のクラブによると、クラブ自体をグリップを中心にして振り子のように動かすことになり、違和感を生じさせる。
【０００６】
そこでこの考案は上述したような従来存した諸事情に鑑み案出されたもので、パターヘッドに近接したシャフトの下部位置に所定量の重り部材を配することで、その重量による振り子作用でパッティングラインに沿って真っ直ぐにパターゴルフクラブを動かすことができ、しかも適宜な飛び出し速度で打ち出すことができるようにしたパターゴルフクラブを提供することにある。
【課題を解決するための手段】
【０００７】
上述した課題を解決するため、この考案にあっては、後述する考案を実施するための形態における使用符号を付記して説明すると、シャフト２と、このシャフト２の先端に連繋されたパターヘッド３と、パターヘッド３に近接したシャフト２の下部位置に配された重り部材５とを備えて成ることを特徴とする。
重り部材５は、シャフト２の外周に配したり、シャフト２の内部に配したり、中実、密な棒状材として形成したりして構成することができる。
【０００８】
以上のように構成されたこの考案に係るパターゴルフクラブにあって、シャフト２の下部位置に配された重り部材５は、パターゴルフクラブ１自体の下部に重量を付与させ、パターゴルフクラブ１によってゴルフボールＢを打球するとき、パターゴルフクラブ１をパッティング方向に沿って真っ直ぐに振り子状に動かさせる。
シャフト２の外周に配した重り部材５は、その重量、取付位置等の調整を可能にさせ、シャフト２の内部に配したり、中実、密な棒状材としたりした重り部材５は、シャフト２の外観を従前通りのものとし、体裁を損なわせない。
【考案の効果】
【０００９】
この考案は以上説明したように構成されているため、重り部材５の重量による振り子作用でパッティングラインに沿って真っ直ぐにパターゴルフクラブ１自体を動かすことができ、しかもパッティング時では適当な飛び出し速度でゴルフボールＢを打球でき、ゴルフボールＢにスムーズな転がりを与えることができる。
【００１０】
すなわちこれはこの考案において、シャフト２に連繋されたパターヘッド３に近接したシャフト２の下部位置に重り部材５を配したからであり、これによって、パターゴルフクラブ１自体の振り子状の動きで、蛇行させることなくパッティングラインに沿った真っ直ぐな打球動作を簡単に得ることができる。
【００１１】
しかも、従来、いわゆる長尺パター、中尺パターとしてシャフトを長く形成し、これを身体にあてがうことでパッティング時の支点を得ることとしていた必要もなくなり、一般的な長さのシャフト２を備えたパターゴルフクラブに適用できるのである。
【００１２】
また、重り部材５をシャフト２の外周に配することで、パッティング時のフィーリングに対応させた重量、取付位置・態様等を容易に調整設定でき、フィーリングに対応している取付形態として選定することができる。
【００１３】
重り部材５をシャフト２の内部に配したり、あるいは中実、密な棒状材としたりすることで、シャフト２の外観に変更を加えずに、いわゆる先重し状となる重量的バランスの配分を実現でき、また外観上の変化がないことで従来同様な外観形態を維持できる。
【００１４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１５】
【図１】この考案を実施するための第一の形態を示す一部省略の斜視図である。
【図２】同じく正面図である。
【図３】同じく第二の実施の形態における一部切欠正面図である。
【図４】同じく第三の実施の形態における一部切欠正面図である。
【図５】同じくパッティングラインに沿ったパターヘッドの動きを説明する平面図で、その（Ａ）はこの考案に係るパターゴルフクラブの場合、（Ｂ）は従来のパターゴルフクラブの場合である。
【考案を実施するための形態】
【００１６】
以下、図面を参照してこの考案を実施するための一形態を説明すると、図において示される符号１はこの考案に係るパターゴルフクラブであり、所定長さのシャフト２の先端に、所定形状のパターヘッド３が連繋されて成る。シャフト２は、上端がグリップとなっており、図示にあっては下端部分がシャフト本体とは若干の所定角度で折曲形成されていて（オフセット、ヒール・シャフト）、パッティング姿勢にあるゴルファーがやや前屈み状であるとき、パターヘッド３がグリーン上等の走行面に対して平衡となるように配慮してある。
【００１７】
シャフト２の先端におけるパターヘッド３との近接部位、すなわちパターヘッド３のネック部位であるシャフト２の下部位置に、所定重量の重り部材５を配してある。この重り部材５は、例えば適宜肉厚の矩形板状の鉛材とされ、図１、図２に示される第一の形態では、シャフト２の外周に重り部材５を例えば貼着、両面止着テープ、溶接その他を介して取り付けてある。このときの重り部材５は、シャフト２の外周を囲繞するリング状・筒状に形成される場合に限らず、パッティングラインＰに沿うようにシャフト２における前後面、あるいは左右面の少なくともいずれか一方であったりしても良く、その態様は特に限定されない。
【００１８】
また、その取付位置、重量等は、パッティングする者のパッティング時のフィーリングによって決められれば良く、シャフト２における上方位置であれば重り部材５による重量感が小さくなり、下方位置であれば重り部材５による重量感が大きくなり、振り子状の動きを一層安定化させる。
【００１９】
なお、パターゴルフクラブ１全体の重量が平均的には５００ｇ程度であるところ、重り部材５の重量はほぼ１５０〜２００ｇ程度とし、全体重量が６５０〜７００ｇとなるようにしてあるも、これに限定されるものではない。また、パターヘッド３がブレードタイプ、ピンタイプ、マレットタイプ、ネオマレットタイプ、新タイプ等のいずれであっても、さらにはシャフト２とパターヘッド３との連繋態様がオフセット、ヒール・シャフト、センター・ポイント等のいずれもあっても良いものである。
【００２０】
図３に示される第二の形態では、シャフト２の内部に重り部材５を取り付けたものであり、例えば溶融状態の所定量の鉛材を流し込み、シャフト２内の下部位置に形成した所定の固定部によって固定して成る。この第二の形態では、例えば上記の第一の形態によってシャフト２の外周に所定重量、位置で仮止めして、それによるパッティング時のフィーリングを調整・確認した後、それと同等な重量、位置に対応して鉛材等を流し込み、形成することとなる。
【００２１】
図４に示される第三の形態では、中空素材で形成されるシャフト２における下部位置の部位を、中実、密形態である棒状材によって形成することで重り部材５となしてある。
【００２２】
なお、いずれの形態における重り部材５であっても、１箇所に限定されず、複数箇所となるように分散配置しておいても良く、いずれにあってもパッティング者のパッティング時のフィーリングによって決められる。
【００２３】
また図示を省略したが、グリップ４を太目に形成しておくも良く、例えばつうじょうのグリップ４の太さが２０ｍｍ程度である場合に２５〜３０ｍｍ程度で太く形成する。そうすると、パッティングするときのグリップ４に対する握持力を適正にでき、パッティングラインＰに沿って一層真っ直ぐに振り切ることができる。
【００２４】
次にこれの使用の一例を説明すると、重り部材５が配されたこの考案に係るパターゴルフクラブ１は、通常の用法に従い使用されるもので、パッティング時にはパターヘッド３に近接したシャフト２の下部位置に配された重り部材５によって、パターゴルフクラブ１自体を振り子状に動かし、打球する。打球時では図５（Ａ）に示すように、パターヘッド３側の所定量の重量バランスによって振り子状に動き、そのパターヘッド３がパッティングラインＰに沿った真っ直ぐなものとなり、ゴルフボールＢの打球方向を一定に保ち、またパターヘッド３自体を重量化していないことで、打球も強くならずにゴルフボールＢがスムーズに転がる。
【符号の説明】
【００２５】
Ｂ…ゴルフボール                        Ｐ…パッティングライン
１…パターゴルフクラブ                  ２…シャフト
３…パターヘッド                        ４…グリップ
５…重り部材
１１…従来のパターゴルフクラブ          １３…パターヘッド
【図１】
0003202474.tif 000003
【図２】
0003202474.tif 000004
【図３】
0003202474.tif 000005
【図４】
0003202474.tif 000006
【図５】
0003202474.tif 000007